(57)【要約】      （修正有）【課題】自重やシャワーヘッドの重量により下向きの負荷が加わった際においてもブレーキ片の接触面積が減少するのを抑制して、固定力を維持できるシャワーフックを提供する。【解決手段】シャワーバー２に取り付けられるシャワーフック本体１０に設けられるロック機構３０は、シャワーバーに対して接離方向に回動可能であって、シャワーフック本体に対して上下移動可能なばね受け部材と、ばね受け部材の垂直片３１ａに設けられるブレーキ片３３ａを設けるスライド部材３３と、スライド部材とシャワーフック本体の前方側に介設されるコイルばね３４と、シャワーフック本体内への押し込みによってばね部材を座屈変形させてブレーキ片の押圧を解除する操作ボタン３５と、を具備し、シャワーフック本体の後方端側に係合受け部３６を設け、ばね受け部材の垂直片に、シャワーヘッドに下向きの負荷が加わった際に、係合受け部に係合可能な係合部３７を設ける。【選択図】図５
2019190129.tif 000002
【特許請求の範囲】
【請求項１】
浴室等の壁面に設けられるシャワーバーに沿って高さ調整可能に取り付けられる取付部を後方端に設け、前方端にシャワーヘッドホルダを設けるシャワーフック本体と、該シャワーフック本体を上記シャワーバーの任意の位置でロックするロック機構と、を具備するシャワーフックであって、
上記ロック機構は、
上記シャワーバーに対して接離方向に回動可能であって、上記シャワーフック本体に対して上下移動可能な垂直片を有するばね受け部材と、
上記ばね受け部材の上記垂直片に設けられ、上記シャワーバーに接離移動可能なブレーキ片を有するスライド部材と、
上記スライド部材と上記シャワーフック本体の前方側との間に介設されて上記ブレーキ片を上記シャワーバーに押圧するばね部材と、
上記シャワーフック本体の上部に設けられた凹部に収容及び出没可能に設けられると共に、シャワーフック本体内への押し込みによる上記ばね受け部材の回動によって上記ばね部材を座屈変形させて上記ブレーキ片の押圧を解除する操作ボタンと、を具備し、
上記シャワーフック本体の上記凹部の下面における後方端側に係合受け部を設け、上記ばね受け部材の上記垂直片の上部には、上記シャワーヘッドに下向きの負荷が加わった際に、上記係合受け部に係合可能な係合部が設けられている、
ことを特徴とするシャワーフック。
【請求項２】
請求項１に記載のシャワーフックにおいて、
上記係合受け部の係合面は、上記シャワーフック本体の前方端に向かって下り傾斜状に形成され、上記係合部の係合面は、上記シャワーフック本体の後方端に向かって上り傾斜状に形成されている、ことを特徴とするシャワーフック。
【請求項３】
請求項１又は２に記載のシャワーフックにおいて、
上記ばね部材は、該ばね部材の中心部に位置する上記スライド部材と、該ばね部材の中心部より下方の偏心部を支持する前方ばね受け部材との間に介設されている、ことを特徴とするシャワーフック。
【請求項４】
請求項１ないし３のいずれかに記載のシャワーフックにおいて、
上記ばね受け部材は、上記垂直片の下端から下り傾斜状に延在する水平片を有し、該水平片と上記垂直片との交差部の下部に回動支点部が設けられ、上記ロック機構は、上記シャワーフック本体の上記凹部に設けられた開口を介して出没可能な操作ボタンの下部に、上記水平片に当接可能な操作脚部が設けられ、上記操作ボタンを押し込むことで、上記操作脚部が上記水平片に当接し、上記回動支点部を支点として上記ばね受け部材を回動させると共に、上記ばね部材を座屈変形させて上記ブレーキ片の押圧を解除するように形成してなる、ことを特徴とするシャワーフック。
【発明の詳細な説明】
【技術分野】
【０００１】
この発明は、例えば、浴室等の壁面に設けられるシャワーバーに沿って高さ調整可能に設けられるシャワーフックに関するものである。
【背景技術】
【０００２】
従来、この種のシャワーフックとして、シャワーバーに沿って高さ調整可能に取り付けられるシャワーフック本体とシャワーバーとの接触部を、ブレーキ片をばね部材で押圧することで摩擦力を発生させ、シャワーバーの任意の位置でロックするロック機構を具備するシャワーフックが知られている（例えば、特許文献１参照）。
【０００３】
特許文献１に記載のシャワーフックは、ばね部材の付勢力によってブレーキ片をシャワーバーに圧接してシャワーフックをロックし、操作ボタンを押し込むことで、ばね部材が座屈変形してブレーキ片がシャワーバーから離れてロック状態が解除される構造である。
【先行技術文献】
【特許文献】
【０００４】
【特許文献１】特開２０１８−２１３８１号公報
【発明の概要】
【発明が解決しようとする課題】
【０００５】
ところで、この種のシャワーフックにおいては、ロック状態において、自重やシャワーヘッドの重量により下向きの負荷が加わる。このように下向きの負荷が加わると、ブレーキ片とシャワーフック本体との隙間でブレーキ片が回動してブレーキ片の上部側がシャワーバーから離れてしまい、シャワーバーとの接触面積が小さくなる結果、シャワーフックの固定力が低下する懸念がある。
【０００６】
この発明は、上記事情に鑑みてなされたもので、自重やシャワーヘッドの重量により下向きの負荷が加わった際においてもブレーキ片の接触面積が減少するのを抑制して、固定力を維持できるようにしたシャワーフックを提供することを課題とする。
【課題を解決するための手段】
【０００７】
上記課題を解決するため、この発明は、浴室等の壁面に設けられるシャワーバーに沿って高さ調整可能に取り付けられる取付部を後方端に設け、前方端にシャワーヘッドホルダを設けるシャワーフック本体と、該シャワーフック本体を上記シャワーバーの任意の位置でロックするロック機構と、を具備するシャワーフックであって、  上記ロック機構は、  上記シャワーバーに対して接離方向に回動可能であって、上記シャワーフック本体に対して上下移動可能な垂直片を有するばね受け部材と、上記ばね受け部材の上記垂直片に設けられ、上記シャワーバーに接離移動可能なブレーキ片を有するスライド部材と、上記スライド部材と上記シャワーフック本体の前方側との間に介設されて上記ブレーキ片を上記シャワーバーに押圧するばね部材と、上記シャワーフック本体の上部に設けられた凹部に収容及び出没可能に設けられると共に、シャワーフック本体内への押し込みによる上記ばね受け部材の回動によって上記ばね部材を座屈変形させて上記ブレーキ片の押圧を解除する操作ボタンと、を具備し、  上記シャワーフック本体の上記凹部の下面における後方端側に係合受け部を設け、上記ばね受け部材の上記垂直片の上部には、上記シャワーヘッドに下向きの負荷が加わった際に、上記係合受け部に係合可能な係合部が設けられている、ことを特徴とする（請求項１）。
【０００８】
このように構成することにより、ブレーキ片が押圧されてシャワーバーに固定された状態で、自重やシャワーヘッドの重量により下向きの負荷が加わった際に、シャワーフック本体が下方に移動することで、ばね受け部材に設けられた係合部がシャワーフック本体に設けられた係合受け部に係合して、ばね受け部材の回動を阻止し、ブレーキ片がシャワーバーから離れるのを防止することができる。
【０００９】
この発明において、上記係合受け部の係合面は、上記シャワーフック本体の前方端に向かって下り傾斜状に形成され、上記係合部の係合面は、上記シャワーフック本体の後方端に向かって上り傾斜状に形成されているのが好ましい（請求項２）。
【００１０】
このように構成することにより、下方に移動する係合受け部と回動する係合部の係合を容易にすることができると共に、係合受け部と係合部の係合を確実にすることができる。
【００１１】
また、この発明において、上記ばね部材は、該ばね部材の中心部に位置する上記スライド部材と、該ばね部材の中心部より下方の偏心部を支持する前方ばね受け部材との間に介設されているのが好ましい（請求項３）。
【００１２】
このように構成することにより、ばね部材の後方すなわち上記係合部側に向けて上向きの力が作用するので、ばね受け部材の回動を抑え、係合受け部と係合部の係合を容易かつ確実にすることができる。
【００１３】
加えて、この発明において、上記ばね受け部材は、上記垂直片の下端から下り傾斜状に延在する水平片を有し、上記水平片と上記垂直片との交差部の下部に回動支点部が設けられ、上記ロック機構は、上記シャワーフック本体の上記凹部に設けられた開口を介して出没可能な操作ボタンの下部に、上記水平片に当接可能な操作脚部が設けられ、上記操作ボタンを押し込むことで、上記操作脚部が上記水平片に当接し、上記回動支点部を支点として上記ばね受け部材を回動させると共に、上記ばね部材を座屈変形させて上記ブレーキ片の押圧を解除するように形成するのが好ましい（請求項４）。
【００１４】
このように構成することにより、水平片を垂直片の下端から下り傾斜状に形成することで、ばね部材の弾性変形による可動範囲に自由度をもたせることができるので、係合受け部と係合部の係合を妨げない。
また、操作ボタンの押し込みによってばね受け部材が回動してばね部材が座屈変形した際、ばね部材の座屈変形に追従してブレーキ片をシャワーバーから速やかに離すことができる。
【発明の効果】
【００１５】
この発明によれば、上記のように構成されているので、以下のような優れた効果が得られる。
【００１６】
（１）請求項１に記載の発明によれば、ばね受け部材に設けられた係合部がシャワーフック本体に設けられた係合受け部に係合して、ブレーキ片がシャワーバーから離れるのを防止することができるので、ブレーキ片の接触面積が減少するのを抑制して、固定力を維持することができる。
【００１７】
（２）請求項２に記載の発明によれば、上記（１）に加えて更に係合受け部と係合部の係合を容易かつ確実にすることができる。
【００１８】
（３）請求項３に記載の発明によれば、上記（１），（２）に加えて、更に係合受け部と係合部の係合を容易かつ確実にすることができる。
【００１９】
（４）請求項４に記載の発明によれば、ばね部材の弾性変形による可動範囲に自由度をもたせることで、係合受け部と係合部の係合を妨げないので、係合受け部と係合部の係合を容易かつ確実にすることができる。
また、操作ボタンの押し込みによってばね受け部材が回動してばね部材が座屈変形した際、ばね部材の座屈変形に追従してブレーキ片をシャワーバーから速やかに離すことができるので、上記（１）〜（３）に加えて、更に操作を容易にすることができる。
【図面の簡単な説明】
【００２０】
【図１】この発明に係るシャワーフックの使用状態を示す要部斜視図である。
【図２】この発明におけるシャワーフック本体とカバー体を示す分解斜視図である。
【図３】この発明に係るシャワーフックのロック状態を示す横断面図（ａ）及び縦断面図（ｂ）である。
【図４】この発明に係るシャワーフックのロック解除状態を示す縦断面図である。
【図５】この発明における係合受け部と係合部の係合状態を示す縦断面図（ａ）及び（ａ）のＩ部拡大断面図（ｂ）である。
【図５Ａ】この発明におけるばね部材の取付状態を示す拡大断面図である。
【図６】この発明におけるシャワーフック本体、シャワーヘッドホルダ、ロック機構、操作ボタン、カバー体を示す分解斜視図である。
【図６Ａ】この発明におけるシャワーフック本体とロック機構の構成部材を示す分解斜視図である。
【図７】図６のII部拡大斜視図（ａ）及び図６のIII部拡大斜視図（ｂ）である。
【発明を実施するための形態】
【００２１】
以下に、この発明に係るシャワーフックの実施形態を添付図面に基づいて詳細に説明する。
【００２２】
この発明に係るシャワーフック１は、図１及び図２に示すように、浴室の壁面に設けられるシャワーバー２に沿って高さ調整可能に設けられる。
【００２３】
シャワーフック１は、前方端にシャワーヘッドホルダ１１が設けられ、後方端にシャワーバー２の外周面を抱くように取り付けられる取付部１２が設けられるシャワーフック本体１０と、シャワーフック本体１０と共働してシャワーバー２の外周面を抱くように取り付けられるカバー体２０と、シャワーフック本体１０内に設けられ、シャワーフック本体１０をシャワーバー２の任意の位置でロックするロック機構３０と、を具備している。
ここで、前方とはシャワーバー２の軸線に対して直交し、シャワーバー２から遠ざかる方向をいい、後方とはその反対の方向をいう。
【００２４】
シャワーフック本体１０は、図６及び図６Ａに示すように、２分割された例えばＡＢＳ樹脂製のフック半体１３ａ，１３ｂからなり、両フック半体１３ａ，１３ｂが共働して、後方端にシャワーバー２の外周面に取り付けられる平面視半円弧状の取付面１２ａを有する取付部１２が設けられ、前方端にシャワーヘッドホルダ１１を取り付けるホルダ保持部１４が設けられている。
【００２５】
フック半体１３ａ，１３ｂは、図６及び図６Ａに示すように、取付部１２とホルダ保持部１４とを連結する基部１５を有しており、基部１５は、上片１５ａと側片１５ｂ及び下片１５ｃとからなる断面コ字状に形成されている。この場合、上片１５ａには、操作ボタン３５が収容可能な矩形状の凹部１５ｄが設けられている。また、側片１５ｂの前方端には凹円弧状の保持案内面１２ｂが設けられ、保持案内面１２ｂの前方にホルダ保持部１４が延在している。ホルダ保持部１４は、両フック半体１３ａ，１３ｂの側片１５ｂから前方に向かって延在する先端に凸状円弧部１４ａを有する一対の保持板１４ｂにて形成されており、保持板１４ｂの凸状円弧部１４ａには保持孔１４ｃが設けられている。
【００２６】
また、側片１５ｂの上部側には対向する方向に突出する突軸１６ａが設けられ、側片１５ｂの後方側内面と下片１５ｃの上面にはＬ字状の補強リブ１６ｂが設けられ、側片１５ｂの前方側下端と下片１５ｃの上面には固定ねじ受け部１６ｃが設けられている。なお、突軸１６ａの中心には、固定ねじ受け部１６ｄが設けられている。
【００２７】
なお、両フック半体１３ａ，１３ｂの取付部側（後方側）とホルダ保持部側（前方側）の接合面において、フック半体１３ａ側には凸起１５ｆが設けられ、フック半体１３ｂ側には、凸起１５ｆと嵌合可能な嵌合凹部１５ｇが設けられている。これにより、フック半体１３ａ，１３ｂを一体化する際の位置決めが容易になる。なお、両フック半体１３ａ，１３ｂの側片１５ｂの取付部側の下部には、シャワーフック本体１０の内部に浸入した水を排出するための水抜き孔１５ｈが設けられている。
【００２８】
また、フック半体１３ａ，１３ｂの外側面における取付部側には、ほぼ全高にわたって垂直溝１７ａが設けられると共に、取付部側端部からホルダ保持部側に向かって垂直溝１７ａと直交する水平の案内溝１７ｂが設けられ、かつ、案内溝１７ｂの前方端に係止凹部１７ｃが設けられている。
【００２９】
上記のように形成される両フック半体１３ａ，１３ｂは、突軸１６ａ同士と固定ねじ受け部１６ｃ同士を当接した状態で、一方の突軸１６ａを貫通する固定ねじ１８ａを他方の突軸１６ａの固定ねじ受け部１６ｄにねじ結合すると共に、一方の固定ねじ受け部１６ｃを貫通する固定ねじ１８ｂを他方の固定ねじ受け部１６ｃにねじ結合することによって固定される。
【００３０】
次にロック機構３０について説明する。
ロック機構３０は、図３〜図６に示すように、シャワーバー２に対して接離方向に回動可能であって、シャワーフック本体１０に対して上下移動可能なばね受け部材３１と、シャワーバー２に接離移動可能なブレーキ片３３ａを設けるスライド部材３３と、スライド部材３３とシャワーフック本体１０の前方側との間に介設されてブレーキ片３３ａをシャワーバー２に押圧するばね部材である圧縮コイルばね３４（以下にコイルばね３４という）と、シャワーフック本体１０の外面に出没可能に設けられると共に、シャワーフック本体１０内への押し込みによってばね受け部材３１の回動によってコイルばね３４を座屈変形させてブレーキ片３３ａの押圧を解除する操作ボタン３５と、を具備している。なお、ばね受け部材３１は、シャワーフック本体との間に上下方向の隙間ｓをおいて設けられることで、シャワーフック本体１０に対してわずかに上下移動可能に形成されている。
【００３１】
また、シャワーフック本体１０の凹部１５ｄの下面における後方端側に係合受け部３６が設けられ、ばね受け部材３１のシャワーバー２に対向する垂直片３１ａの上部には、シャワーヘッド３に下向きの負荷が加わった際に、隙間ｓの範囲でシャワーフック本体１０がばね受け部材３１を残して下方に移動して係合受け部３６に係合可能な係合部３７が設けられている（図５参照）。
この場合、係合受け部３６の係合面３６ａは、シャワーフック本体１０の前方端に向かって下り傾斜状に形成され、係合部３７の係合面３７ａは、シャワーフック本体１０の後方端に向かって上り傾斜状に形成されている（図５（ｂ）参照）。
【００３２】
ばね受け部材３１は、シャワーバー２に対向する垂直片３１ａの下端から下り傾斜状に延在する水平片３１ｂが設けられ、水平片３１ｂと垂直片３１ａとの交差部の下部に回動支点部３１ｃが設けられている。なお、回動支点部３１ｃは、前後方向と直交する方向のばね受け部材３１の全幅にわたって設けられており、補強リブ１６ｂの下部上面に載置される。
【００３３】
スライド部材３３は、ばね受け部材３１の垂直片３１ａに設けられた挿通孔３２にばね受け係合突起３３ｂを圧入状態で嵌入されてばね受け部材３１と一体化され、シャワーバー２に接離移動可能に設けられており、ブレーキ片３３ａ及びブレーキ片３３ａの前方端にばね受け係合突起３３ｂが突設されている。なお、ブレーキ片３３ａとばね受け係合突起３３ｂは合成ゴムにて一体に形成されている。また、挿通孔３２は、ばね受け係合突起３３ｂよりもやや小径に形成されている。
【００３４】
上記のように形成されるスライド部材３３と、シャワーフック本体１０の前方側に設けられる前方ばね受け部材４６との間にコイルばね３４が介設されている。
この場合、前方ばね受け部材４６は、シャワーヘッドホルダ１１に向けられた、後述する波形状凹凸部４３に間欠的に係合する係合ピン４７を介して取り付けられており、後方端には、コイルばね３４の前方端が係合する前方ばね受け係合突起４６ａが突設されている。
また、図５及び図５Ａに示すように、前方ばね受け部材４６と係合ピン４７の係合部は中心部より下方の偏心部に位置している。これにより、コイルばね３４は、該コイルばね３４の中心部に位置するスライド部材３３と、コイルばね３４の中心部より下方の偏心部を支持する前方ばね受け部材４６との間に介設されるので、ブレーキ片３３ａを有するスライド部材３３に斜め上向きの力が発生する。
【００３５】
また、操作ボタン３５は、シャワーフック本体１０の上片１５ａの凹部１５ｄ内に収容可能な矩形状のボタン本体３５ａの下部に、凹部１５ｄに設けられた開口１５ｅを介して出没可能な一対の操作脚部３５ｂが設けられている。なお、操作脚部３５ｂには、シャワーフック本体１０の突軸１６ａとの干渉を避けるために、突軸１６ａを遊嵌する長孔３５ｃが設けられている。
【００３６】
上記のように構成された操作ボタン３５を押し込むことで、操作脚部３５ｂがばね受け部材３１の水平片３１ｂに当接し、回動支点部３１ｃを支点としてばね受け部材３１を回動させると共に、コイルばね３４を座屈変形させてブレーキ片３３ａの押圧を解除するようになっている。
【００３７】
一方、シャワーヘッドホルダ１１は、前方端が開口する上方に向かって拡開テーパ状のシャワーヘッド保持部４０と、シャワーヘッド保持部４０の後方端に設けられた挿通孔４１を介してシャワーヘッド保持部４０内に突出するシャワーヘッド係止部材４２とを具備している。
【００３８】
この場合、シャワーヘッドホルダ１１の後方端の両側は、両フック半体１３ａ，１３ｂに設けられた保持案内面１２ｂに沿って回動可能な凸状円弧に形成されると共に、波形状凹凸部４３が形成されている。また、シャワーヘッドホルダ１１の外側面には、ホルダ保持部１４の保持板１４ｂが挿入可能な凹溝４４が設けられると共に、凹溝４４の底部に保持板１４ｂに設けられた保持孔１４ｃに係合可能な係止突起４５が突設されている。
【００３９】
シャワーヘッド係止部材４２は、合成ゴムにて形成されており、挿通孔４１内に嵌挿される係止突部４２ａと、シャワーヘッド保持部４０の保持面４０ａに設けられた挿通孔４１と連通する縦溝４０ｂ内に嵌挿されるブレーキ部４２ｂが一体に形成されている。
なお、ブレーキ部４２ｂの上端に設けられた係止爪部４２ｃが、シャワーヘッド保持部４０の縦溝４０ｂの上端部に設けられた係止受け部４０ｃに係合された状態で、シャワーヘッド係止部材４２がシャワーヘッド保持部４０に固定されている。
【００４０】
上記のように、シャワーヘッド係止部材４２のブレーキ部４２ｂを保持面４０ａの上方に延在することにより、シャワーヘッド３との摩擦面積を広くすることができる。したがって、シャワーヘッド３の噴出口からの噴射による反力によってシャワーヘッド３がシャワーヘッド保持部４０から抜け出るのを防止することができる。
【００４１】
また、シャワーヘッドホルダ１１に設けられた波形状凹凸部４３に間欠的に係合する係合ピン４７を介して前方ばね受け部材４６が取り付けられている。この前方ばね受け部材４６の後方端には、コイルばね３４の前方端が係合する前方ばね受け係合突起４６ａが突設されている。
このように構成することによって、シャワーヘッドホルダ１１を段階的に調節して任意の角度に固定することができる。
【００４２】
上記のように、シャワーヘッドホルダ１１とシャワーヘッド係止部材４２に設けられた波形状凹凸部４３，係止爪部４２ｃに間欠的に係合する係合ピン４７を介してシャワーヘッド係止部材４２の前方ばね受け部材４６とブレーキ片３３ａと一体のばね受け係合突起３３ｂとの間にコイルばね３４を介設した状態で、ホルダ保持部１４にシャワーヘッドホルダ１１を取り付ける。
【００４３】
このように構成することにより、シャワーヘッドホルダ１１を垂直方向の任意の角度に傾斜してシャワーヘッド３を保持することができる。
【００４４】
上記カバー体２０は、シャワーバー２の外周面を抱持する後方半円筒部２１と、後方半円筒部２１の開口側前方端に延在してシャワーフック本体１０とシャワーヘッドホルダ１１を覆うと共に、シャワーフック本体１０に係脱可能な一対の腕部２２を具備している。
【００４５】
この場合、腕部２２の後方半円筒部２１側の対向する内面には、フック半体１３ａ，１３ｂの側片１５ｂのほぼ全高にわたって設けられた垂直溝１７ａに係合可能な縦係止爪部２３がほぼ全高にわたって突設され、縦係止爪部２３より前方端側の内面には、フック半体１３ａ，１３ｂの側片１５ｂに設けられた案内溝１７ｂ内に摺動可能に係合して係止凹部１７ｃに係合可能な係止爪部２４が突設されている。
【００４６】
この場合、縦係止爪部２３の前方側はやや傾斜して前端が低くなるように形成されており、腕部２２を開きすぎずに容易に垂直溝１７ａに係合することができる。上述したように、縦係止爪部２３と垂直溝１７ａがほぼ全高にわたって形成されることにより確実に係止することができる。また、係止爪部２４はフック状に形成されており、係止凹部１７ｃに係合した状態では外れにくくなっている。
なお、カバー体２０を取り外す際には、腕部２２をやや開くようにすることで、腕部２２が弧を描くように弛み、縦係止爪部２３及び係止爪部２４の係合が解除されてカバー体２０を取り外すことができる。
【００４７】
また、後方半円筒部２１の内面に、シャワーバー２の外周面に当接可能な背当て部材２５が設けられている。
【００４８】
この場合、背当て部材２５は、例えばＡＢＳ樹脂製部材にて形成されており、背当て部材２５の開口端には位置決め用の切欠き２５ａが設けられており、この切欠き２５ａがカバー体２０の後方半円筒部２１の内側に突設された位置決め用突起２１ａに係合した状態で背当て部材２５がカバー体２０内に設けられる。
【００４９】
上記実施形態のシャワーフック１によれば、シャワーフック本体１０の取付部１２をシャワーバー２に取り付けた状態で、カバー体２０の腕部２２の内面に設けられた係止爪部２４を、シャワーフック本体１０の外側面に設けられた案内溝１７ｂに沿って移動して係止凹部１７ｃに係合させることで、シャワーフック本体１０とカバー体２０をシャワーバー２に取り付けることができるので、既設のシャワーバー２に容易に取り付けることができる。
【００５０】
シャワーフック１が静止された状態では、図３に示すように、コイルばね３４の付勢力によってブレーキ片３３ａをシャワーバー２に押圧してロックする。この状態において、自重やシャワーヘッド３の重量により下向きの負荷が加わると、図５に示すように、シャワーフック本体１０が下方に移動し、ばね受け部材３１の垂直片３１ａの上端に設けられた係合部３７がシャワーフック本体１０に設けられた係合受け部３６に係合して、ばね受け部材３１が回動支点３１ｃを中心に回動するのを阻止し、ブレーキ片３３ａがシャワーバー２から離れるのを防止する。これにより、ブレーキ片３３ａのシャワーバー２との接触面積が減少するのを抑制して、固定力を維持することができる。
【００５１】
シャワーフック１のロックを解除する場合は、操作ボタン３５を押し込むことで、操作脚部３５ｂがばね受け部材３１の水平片３１ｂに当接して係合受け部３６と係合部３７との係合を解除し、更に回動支点部３１ｃを支点としてばね受け部材３１を回動させると共に、コイルばね３４が座屈変形してブレーキ片３３ａがシャワーバー２から離れてロック状態が解除される。したがって、ロックを確実にするためにコイルばね３４の付勢力を大きくしても、ロックを解除する時にはコイルばね３４を座屈変形させればよいので、コイルばね３４の付勢力より弱い力によって容易に操作できる。
【００５２】
上記のように構成される実施形態のシャワーフック１によれば、係合受け部３６の係合面３６ａは、シャワーフック本体１０の前方端に向かって下り傾斜状に形成され、係合部３７の係合面３７ａは、係合面３６ａと対応すべくシャワーフック本体１０の後方端に向かって上り傾斜状に形成されているので、下方に移動する係合受け部３６と係合部３７の係合を容易にすることができると共に、係合受け部３６と係合部３７の係合を確実にすることができる。
【００５３】
また、コイルばね３４は、該コイルばね３４の中心部を支持するスライド部材３３と、コイルばね３４の中心部より下方の偏心部を支持する前方ばね受け部材４６との間に介設されているので、コイルばね３４の後方すなわち係合部側に向けて斜め上向きの力が作用して、ばね受け部材３１の回動を阻止し、係合受け部３６と係合部３７の係合を容易かつ確実にすることができる。
【００５４】
また、ばね受け部材３１は、垂直片３１ａの下端から下り傾斜状に延在する水平片３１ｂを有するので、コイルばね３４の弾性変形による可動範囲に自由度をもたせることができ、係合受け部３６と係合部３７の係合を妨げることなく、係合受け部３６と係合部３７の係合を容易にすることができる。
【符号の説明】
【００５５】
１  シャワーフック
２  シャワーバー
１０  シャワーフック本体
１１  シャワーヘッドホルダ
３０  ロック機構
３１  ばね受け部材
３１ａ  垂直片
３１ｂ  水平片
３１ｃ  回動支点部
３２  挿通孔
３３  スライド部材
３３ａ  ブレーキ片
３３ｂ  ばね受け係止突起
３４  コイルばね（ばね部材）
３５  操作ボタン
３５ｂ  操作脚部
３６  係合受け部
３６ａ  係合面
３７  係合部
３７ａ  係合面
４０  シャワーヘッド保持部
【図１】
2019190129.tif 000003
【図２】
2019190129.tif 000004
【図３】
2019190129.tif 000005
【図４】
2019190129.tif 000006
【図５】
2019190129.tif 000007
【図５Ａ】
2019190129.tif 000008
【図６】
2019190129.tif 000009
【図６Ａ】
2019190129.tif 000010
【図７】
2019190129.tif 000011